(57)【要約】  本願の実施例は、端末装置がネットワークにアクセスするための方法、端末装置及びネットワーク装置に関する。該方法は、端末装置はランダムアクセスプリアンブルを送信することと、該端末装置は第1のネットワーク装置が送信した指示情報を受信することと、該端末装置は該指示情報に基づいて、少なくとも1つのネットワーク装置が送信したランダムアクセス応答情報を受信し、該少なくとも1つのネットワーク装置は該第1のネットワーク装置を含むことと、を含む。本願の実施例の端末装置がネットワークにアクセスするための方法、端末装置及びネットワーク装置によれば、端末装置はネットワーク装置にランダムアクセスプリアンブルを送信し、ネットワーク装置が送信した指示情報を受信し、該指示情報によって少なくとも1つのネットワーク装置が送信したランダムアクセス応答情報を受信するように該端末装置に指示し、さらに該少なくとも1つのネットワーク装置においてアクセスするネットワーク装置を選択して、それによりシステムの利用率を高める。
2020515171.tif 000002
【特許請求の範囲】
【請求項１】
端末装置はランダムアクセスプリアンブルを送信することと、
前記端末装置は第1のネットワーク装置が送信した指示情報を受信することと、
前記端末装置は前記指示情報に基づいて、少なくとも1つのネットワーク装置が送信したランダムアクセス応答情報を受信し、前記少なくとも1つのネットワーク装置は前記第1のネットワーク装置を含むことと、を含むことを特徴とする端末装置がネットワークにアクセスするための方法。
【請求項２】
前記指示情報は、前記第1のネットワーク装置と第2のネットワーク装置が送信したランダムアクセス応答情報を受信するように前記端末装置に指示するためのものであり、前記少なくとも1つのネットワーク装置は前記第2のネットワーク装置を含み、
前記端末装置が前記指示情報に基づいて、少なくとも1つのネットワーク装置の送信したランダムアクセス応答情報を受信することは、
前記端末装置は前記第1のネットワーク装置と前記第2のネットワーク装置が送信したランダムアクセス応答情報を受信することを含むことを特徴とする請求項1に記載の方法。
【請求項３】
前記指示情報は前記少なくとも1つのネットワーク装置の識別子を含むことを特徴とする請求項1又は2に記載の方法。
【請求項４】
前記端末装置が前記指示情報に基づいて、少なくとも1つのネットワーク装置の送信したランダムアクセス応答情報を受信した後に、前記方法は更に、
前記端末装置は前記少なくとも1つのネットワーク装置において、ターゲットネットワーク装置を確定することと、
前記端末装置は前記ターゲットネットワーク装置にメッセージ3を送信することと、を含むことを特徴とする請求項1〜3のいずれか1項に記載の方法。 
【請求項５】
前記少なくとも1つのネットワーク装置における各ネットワーク装置のランダムアクセス応答情報は、タイミングアドバンス量及び/又は前記各ネットワーク装置の負荷比率を含み、前記タイミングアドバンス量は前記端末装置から前記各ネットワーク装置へのアップリンク無線信号の伝播遅延であり、
前記端末装置が前記少なくとも1つのネットワーク装置において、ターゲットネットワーク装置を確定することは、
前記端末装置は前記タイミングアドバンス量及び/又は前記負荷比率に基づいて、前記少なくとも1つのネットワーク装置において前記ターゲットネットワーク装置を確定することを含むことを特徴とする請求項4に記載の方法。
【請求項６】
前記指示情報はプリセットのルールを含み、
前記端末装置が前記タイミングアドバンス量及び/又は前記負荷比率に基づいて、前記少なくとも1つのネットワーク装置において前記ターゲットネットワーク装置を確定することは、
前記端末装置は前記プリセットのルールに従って、前記タイミングアドバンス量及び/又は前記負荷比率に基づいて、前記少なくとも1つのネットワーク装置において前記ターゲットネットワーク装置を確定することを含むことを特徴とする請求項5に記載の方法。
【請求項７】
前記プリセットのルールは、前記少なくとも1つのネットワーク装置のうち、タイミングアドバンス量が最も小さいものに対応するネットワーク装置を前記ターゲットネットワーク装置として確定することであり、又は
前記プリセットのルールは、前記少なくとも1つのネットワーク装置のうち、負荷比率が最も小さいネットワーク装置を前記ターゲットネットワーク装置として確定することであることを特徴とする請求項6に記載の方法。
【請求項８】
前記端末装置が前記少なくとも1つのネットワーク装置において、ターゲットネットワーク装置を確定することは、
前記端末装置は前記少なくとも1つのネットワーク装置における一部又は全部のネットワーク装置にメッセージ3を送信し、前記メッセージ3は前記一部又は全部のネットワーク装置の識別子を含むことと、
前記端末装置はメッセージ4を送信するネットワーク装置が前記ターゲットネットワーク装置であることを確定することと、を含むことを特徴とする請求項4に記載の方法。
【請求項９】
前記端末装置が前記少なくとも1つのネットワーク装置における一部のネットワーク装置にメッセージ3を送信することは、
前記端末装置はプリセットのルールに従って、前記少なくとも1つのネットワーク装置において第3のネットワーク装置を確定し、前記第3のネットワーク装置は、前記端末装置に同じアップリンクスケジューリングシグナリングUL grantを設定するネットワーク装置のうちの1つであることと、
前記端末装置は前記第3のネットワーク装置及び他のネットワーク装置に前記メッセージ3を送信し、前記他のネットワーク装置は、前記少なくとも1つのネットワーク装置のうち、前記端末装置に同じUL grantを設定するネットワーク装置以外のネットワーク装置であることと、を含むことを特徴とする請求項8に記載の方法。
【請求項１０】
第1のネットワーク装置は端末装置が送信したランダムアクセスプリアンブルを受信することと、
前記第1のネットワーク装置は前記端末装置に指示情報を送信し、前記指示情報は少なくとも1つのネットワーク装置が送信したランダムアクセス応答情報を受信するように前記端末装置に指示するためのものであり、前記少なくとも1つのネットワーク装置は前記第1のネットワーク装置を含むことと、
前記第1のネットワーク装置は前記ランダムアクセスプリアンブルに基づいて、前記端末装置に第1のランダムアクセス応答情報を送信することと、を含むことを特徴とする端末装置がネットワークにアクセスするための方法。
【請求項１１】
前記指示情報は前記少なくとも1つのネットワーク装置の識別子を含むことを特徴とする請求項10に記載の方法。
【請求項１２】
前記方法は更に、
前記第1のネットワーク装置は前記端末装置が送信したメッセージ3を受信し、前記メッセージ3は前記少なくとも1つのネットワーク装置における一部又は全部のネットワーク装置の識別子を含み、前記一部又は全部のネットワーク装置は前記第1のネットワーク装置を含むことと、
前記第1のネットワーク装置は前記一部又は全部のネットワーク装置の識別子に基づいて、前記一部又は全部のネットワーク装置のうち、前記第1のネットワーク装置以外の他のネットワーク装置と協議して、前記端末装置にメッセージ4を送信するターゲットネットワーク装置を確定することと、を含むことを特徴とする請求項10又は11に記載の方法。
【請求項１３】
第2のネットワーク装置は端末装置が送信したランダムアクセスプリアンブルを受信することと、
前記第2のネットワーク装置は前記ランダムアクセスプリアンブルに基づいて、前記端末装置に第2のランダムアクセス応答情報を送信することと、
前記第2のネットワーク装置は前記端末装置が送信したメッセージ3を受信し、前記メッセージ3は少なくとも2つのネットワーク装置の識別子を含むことと、
前記第2のネットワーク装置は前記少なくとも2つのネットワーク装置の識別子に基づいて、前記少なくとも2つのネットワーク装置のうち、前記第2のネットワーク装置以外の他のネットワーク装置と協議して、前記端末装置にメッセージ4を送信するターゲットネットワーク装置を確定することと、を含むことを特徴とする端末装置がネットワークにアクセスするための方法。
【請求項１４】
ランダムアクセスプリアンブルを送信することに用いられる送信ユニットと、
第1のネットワーク装置が送信した指示情報を受信することに用いられる受信ユニットと、を備え、
前記受信ユニットは更に、前記指示情報に基づいて、少なくとも1つのネットワーク装置が送信したランダムアクセス応答情報を受信することに用いられ、前記少なくとも1つのネットワーク装置は前記第1のネットワーク装置を含むことを特徴とする端末装置。
【請求項１５】
前記指示情報は、前記第1のネットワーク装置と第2のネットワーク装置が送信したランダムアクセス応答情報を受信するように前記端末装置に指示するためのものであり、前記少なくとも1つのネットワーク装置は前記第2のネットワーク装置を含み、
前記受信ユニットは更に、
前記第1のネットワーク装置と前記第2のネットワーク装置が送信したランダムアクセス応答情報を受信することに用いられることを特徴とする請求項14に記載の端末装置。
【請求項１６】
前記指示情報は前記少なくとも1つのネットワーク装置の識別子を含むことを特徴とする請求項14又は15に記載の端末装置。
【請求項１７】
前記端末装置は更に、
前記受信ユニットが前記指示情報に基づいて少なくとも1つのネットワーク装置の送信したランダムアクセス応答情報を受信した後、前記少なくとも1つのネットワーク装置においてターゲットネットワーク装置を確定することに用いられる確定ユニットを備え、
前記送信ユニットは更に、
前記ターゲットネットワーク装置にメッセージ3を送信することに用いられることを特徴とする請求項14〜16のいずれか1項に記載の端末装置。
【請求項１８】
前記少なくとも1つのネットワーク装置における各ネットワーク装置のランダムアクセス応答情報は、タイミングアドバンス量及び/又は前記各ネットワーク装置の負荷比率を含み、前記タイミングアドバンス量は前記端末装置から前記各ネットワーク装置へのアップリンク無線信号の伝播遅延であり、
前記確定ユニットは更に、
前記タイミングアドバンス量及び/又は前記負荷比率に基づいて、前記少なくとも1つのネットワーク装置において前記ターゲットネットワーク装置を確定することに用いられることを特徴とする請求項17に記載の端末装置。
【請求項１９】
前記指示情報はプリセットのルールを含み、
前記確定ユニットは更に、
前記プリセットのルールに従って、前記タイミングアドバンス量及び/又は前記負荷比率に基づいて、前記少なくとも1つのネットワーク装置において前記ターゲットネットワーク装置を確定することに用いられることを特徴とする請求項18に記載の端末装置。
【請求項２０】
前記プリセットのルールは、前記少なくとも1つのネットワーク装置のうち、タイミングアドバンス量が最も小さいものに対応するネットワーク装置を前記ターゲットネットワーク装置として確定することであり、又は
前記プリセットのルールは、前記少なくとも1つのネットワーク装置のうち、負荷比率が最も小さいネットワーク装置を前記ターゲットネットワーク装置として確定することであることを特徴とする請求項19に記載の端末装置。
【請求項２１】
前記送信ユニットは更に、
前記少なくとも1つのネットワーク装置における一部又は全部のネットワーク装置にメッセージ3を送信することに用いられ、前記メッセージ3は前記一部又は全部のネットワーク装置の識別子を含み、
前記確定ユニットは更に、
メッセージ4を送信するネットワーク装置が前記ターゲットネットワーク装置であることを確定することに用いれることを特徴とする請求項17に記載の端末装置。
【請求項２２】
前記確定ユニットは更に、
プリセットのルールに従って、前記少なくとも1つのネットワーク装置において第3のネットワーク装置を確定することに用いられ、前記第3のネットワーク装置は、前記端末装置に同じアップリンクスケジューリングシグナリングUL grantを設定するネットワーク装置のうちの1つであり、
前記送信ユニットは更に、
前記第3のネットワーク装置及び他のネットワーク装置に前記メッセージ3を送信することに用いられ、前記他のネットワーク装置は、前記少なくとも1つのネットワーク装置のうち、前記端末装置に同じUL grantを設定するネットワーク装置以外のネットワーク装置であることを特徴とする請求項21に記載の端末装置。
【請求項２３】
端末装置が送信したランダムアクセスプリアンブルを受信することに用いられる受信ユニットと、
前記端末装置に指示情報を送信することに用いられ、前記指示情報は少なくとも1つのネットワーク装置が送信したランダムアクセス応答情報を受信するように前記端末装置に指示するためのものであり、前記少なくとも1つのネットワーク装置は前記ネットワーク装置を含む、送信ユニットと、を備え、
前記送信ユニットは更に、前記ランダムアクセスプリアンブルに基づいて、前記端末装置に第1のランダムアクセス応答情報を送信することに用いられることを特徴とするネットワーク装置。
【請求項２４】
前記指示情報は前記少なくとも1つのネットワーク装置の識別子を含むことを特徴とする請求項23に記載のネットワーク装置。
【請求項２５】
前記受信ユニットは更に、
前記端末装置が送信したメッセージ3を受信し、前記メッセージ3は前記少なくとも1つのネットワーク装置における一部又は全部のネットワーク装置の識別子を含み、前記一部又は全部のネットワーク装置は前記ネットワーク装置を含むことと、
前記一部又は全部のネットワーク装置の識別子に基づいて、前記一部又は全部のネットワーク装置のうち、前記ネットワーク装置以外の他のネットワーク装置と協議して、前記端末装置にメッセージ4を送信するターゲットネットワーク装置を確定することと、に用いられることを特徴とする請求項23又は24に記載のネットワーク装置。
【請求項２６】
端末装置が送信したランダムアクセスプリアンブルを受信することに用いられる受信ユニットと、
前記ランダムアクセスプリアンブルに基づいて、前記端末装置に第2のランダムアクセス応答情報を送信することに用いられる送信ユニットと、
前記少なくとも2つのネットワーク装置の識別子に基づいて、前記少なくとも2つのネットワーク装置のうち、前記ネットワーク装置以外の他のネットワーク装置と協議して、前記端末装置にメッセージ4を送信するターゲットネットワーク装置を確定することに用いられる確定ユニットと、を備え、
前記受信ユニットは更に、前記端末装置が送信したメッセージ3を受信することに用いられ、前記メッセージ3は少なくとも2つのネットワーク装置の識別子を含むことを特徴とするネットワーク装置。
【発明の詳細な説明】
【技術分野】
【０００１】
本発明は通信分野に関し、特に端末装置がネットワークにアクセスするための方法、端末装置及びネットワーク装置に関する。
【背景技術】
【０００２】
ロングタームエボリューション（Long Term Evolution、LTE）システムにおいて、アイドル状態での端末装置が、駐在セル内の基地局に初期ネットワークにアクセスする要求を開始する場合、その隣接するいくつかのセルは、該端末装置が送信した物理ランダムアクセスチャネル（Physical Random Access Channel、PRACH）プリアンブル（preamble）を同時に受信する可能性があり、例えば、この時、端末装置はいくつかのセルのエッジ領域に位置する。PRACH preambleを受信したセルはちょうど同じ時間周波数リソースにおいてPRACHリソース（resource）を設定すれば、これらのセルはいずれも端末装置にランダムアクセス応答（Random Access Response、RAR）情報を返信することができる。
【０００３】
しかし、LTEにおいて、端末装置は非駐在セルのダウンリンク制御チャネルを検出しないため、異なるセルに対応する異なる基地局は端末装置にRAR情報をフィードバックしても、端末装置は検出を行わず、端末装置は現在、駐在セルに対応する基地局が送信したRAR情報のみを選択して受信し、5G（new radio，NR）システムには適用できない。
【発明の概要】
【発明が解決しようとする課題】
【０００４】
本願は端末装置がネットワークにアクセスするための方法、端末装置及びネットワーク装置を提供し、それにより端末装置はアクセスするネットワーク装置を選択し、システムの利用率を向上させることができる。
【課題を解決するための手段】
【０００５】
第1の態様では、端末装置がネットワークにアクセスするための方法を提供し、該方法は、端末装置はランダムアクセスプリアンブルを送信することと、該端末装置は第1のネットワーク装置が送信した指示情報を受信することと、該端末装置は該指示情報に基づいて、少なくとも1つのネットワーク装置が送信したランダムアクセス応答情報を受信し、該少なくとも1つのネットワーク装置は該第1のネットワーク装置を含むことと、を含む。
【０００６】
従って、本願の実施例の端末装置がネットワークにアクセスするための方法によれば、端末装置はネットワーク装置にランダムアクセスプリアンブルを送信し、ネットワーク装置が送信した指示情報を受信し、該指示情報によって少なくとも1つのネットワーク装置が送信したランダムアクセス応答情報を受信するように該端末装置に指示し、さらに該少なくとも1つのネットワーク装置においてアクセスするネットワーク装置を選択して、それによりシステムの利用率を高める。
【０００７】
理解できるように、端末装置は駐在セル内でアクセス要求を開始し、ネットワーク装置にランダムアクセスプリアンブル（PRACH preamble）を送信し、該端末装置は第1のネットワーク装置が送信した指示情報を受信することができ、該第1のネットワーク装置は駐在セルに対応するネットワーク装置であり、該指示情報は少なくとも1つのネットワーク装置が送信したRAR情報を受信するように端末に指示することができ、該少なくとも1つのネットワーク装置は該第1のネットワーク装置を含む。
【０００８】
選択肢として、該指示情報は、第1のネットワーク装置の送信したRAR情報のみを受信するように端末装置に指示してもよく、その場合、端末装置はPRACH preambleを送信した後、他のネットワーク装置の送信したRAR情報を検出せずに、RAR情報の受信を待つRAR windowにおいて第1のネットワーク装置の送信したRAR情報を受信する必要がある。
【０００９】
理解できるように、該第1のネットワーク装置はセルシステムブロードキャストSIBを介して、該指示情報を送信してもよい。
【００１０】
第1の態様を参照して、第1の態様の一実現方式では、該指示情報は、該第1のネットワーク装置と第2のネットワーク装置が送信したランダムアクセス応答情報を受信するように該端末装置に指示するためのものであり、該少なくとも1つのネットワーク装置は該第2のネットワーク装置を含み、該端末装置が該指示情報に基づいて、少なくとも1つのネットワーク装置の送信したランダムアクセス応答情報を受信することは、該端末装置は該第1のネットワーク装置と該第2のネットワーク装置が送信したランダムアクセス応答情報を受信することを含む。
【００１１】
少なくとも1つのネットワーク装置が第1のネットワーク装置と第2のネットワーク装置を含む場合、端末装置はPRACH preambleを送信した後、RAR windowにおいて第1のネットワーク装置の送信したRAR情報、及び指示情報で指示された第2のネットワーク装置の送信したRAR情報を、RAR windowが終了するまで受信する。該第2のネットワーク装置は非駐在セルに対応する1つ又は複数のネットワーク装置であってもよく、例えば、該非駐在セルは駐在セルに隣接する他のアクセスを開始しないセルであってもよい。
【００１２】
第1の態様及び上記実現方式を参照して、第1の態様の別の実現方式では、該指示情報は該少なくとも1つのネットワーク装置の識別子を含む。
【００１３】
理解できるように、該少なくとも1つのネットワーク装置の識別子は、少なくとも1つのネットワーク装置のセル識別コード（cell ID）リストであってもよい。
【００１４】
選択肢として、該指示情報における少なくとも1つのネットワーク装置の識別子は、該少なくとも1つのネットワーク装置のcell ID及びランダムアクセス無線ネットワーク一時的アイデンティティRA_RNTIであってもよい。
【００１５】
第1の態様及び上記実現方式を参照して、第1の態様の別の実現方式では、該端末装置が該指示情報に基づいて、少なくとも1つのネットワーク装置の送信したランダムアクセス応答情報を受信した後に、該方法は更に、該端末装置は該少なくとも1つのネットワーク装置において、ターゲットネットワーク装置を確定することと、該端末装置は該ターゲットネットワーク装置にメッセージ3を送信することと、を含む。
【００１６】
第1の態様及び上記実現方式を参照して、第1の態様の別の実現方式では、該少なくとも1つのネットワーク装置における各ネットワーク装置のランダムアクセス応答情報は、タイミングアドバンス量及び/又は該各ネットワーク装置の負荷比率を含み、該タイミングアドバンス量は該端末装置から該各ネットワーク装置へのアップリンク無線信号の伝播遅延であり、該端末装置が該少なくとも1つのネットワーク装置において、ターゲットネットワーク装置を確定することは、該端末装置は該タイミングアドバンス量及び/又は該負荷比率に基づいて、該少なくとも1つのネットワーク装置において該ターゲットネットワーク装置を確定することを含む。
【００１７】
第1の態様及び上記実現方式を参照して、第1の態様の別の実現方式では、該指示情報はプリセットのルールを含み、該端末装置が該タイミングアドバンス量及び/又は該負荷比率に基づいて、該少なくとも1つのネットワーク装置において該ターゲットネットワーク装置を確定することは、該端末装置は該プリセットのルールに従って、該タイミングアドバンス量及び/又は該負荷比率に基づいて、該少なくとも1つのネットワーク装置において該ターゲットネットワーク装置を確定することを含む。
【００１８】
理解できるように、端末装置はプリセットのルールに従って、タイミングアドバンス量及び/又は該負荷比率に基づいて、該少なくとも1つのネットワーク装置において該ターゲットネットワーク装置を確定し、該プリセットのルールは予め端末装置内に設定されてもよく、或いは第1のネットワーク装置を介して該端末装置に対して設定されてもよい。
【００１９】
第1の態様及び上記実現方式を参照して、第1の態様の別の実現方式では、該プリセットのルールは、該少なくとも1つのネットワーク装置のうち、タイミングアドバンス量が最も小さいものに対応するネットワーク装置を該ターゲットネットワーク装置として確定することであり、又は、該プリセットのルールは、該少なくとも1つのネットワーク装置のうち、負荷比率が最も小さいネットワーク装置を該ターゲットネットワーク装置として確定することである。
【００２０】
選択肢として、タイミングアドバンス量と負荷比率の両方に基づいてターゲットネットワーク装置を確定してもよい。例えば、複数のネットワーク装置のうち、負荷比率が最も小さい1つ又は複数のネットワーク装置を確定し、該1つ又は複数のネットワーク装置のうち、TAの最小値に対応するネットワーク装置を確定し、該ネットワーク装置をターゲットネットワーク装置として確定する。
【００２１】
端末装置はタイミングアドバンス量が小さいネットワーク装置を選択してアクセスすれば、端末装置に近いネットワーク装置にアクセスすることができ、伝送効率を高め、端末装置は負荷比率が小さいネットワーク装置を選択してアクセスし、ネットワーク負荷をバランスさせる。
【００２２】
第1の態様及び上記実現方式を参照して、第1の態様の別の実現方式では、該端末装置が該少なくとも1つのネットワーク装置において、ターゲットネットワーク装置を確定することは、該端末装置は該少なくとも1つのネットワーク装置における各ネットワーク装置にメッセージ3を送信し、該メッセージ3は該少なくとも1つのネットワーク装置の識別子を含むことと、該端末装置は該ターゲットネットワーク装置が、メッセージ4を送信するネットワーク装置であることを確定することと、を含む。
【００２３】
第1の態様及び上記実現方式を参照して、第1の態様の別の実現方式では、該端末装置が該少なくとも1つのネットワーク装置において、ターゲットネットワーク装置を確定することは、該端末装置は該少なくとも1つのネットワーク装置における一部のネットワーク装置にメッセージ3を送信し、該メッセージ3は該一部のネットワーク装置の識別子を含むことと、該端末装置は該ターゲットネットワーク装置が、メッセージ4を送信するネットワーク装置であることを確定することと、を含む。
【００２４】
第1の態様及び上記実現方式を参照して、第1の態様の別の実現方式では、該端末装置が該少なくとも1つのネットワーク装置における一部のネットワーク装置にメッセージ3を送信することは、該端末装置はプリセットのルールに従って、該少なくとも1つのネットワーク装置において第3のネットワーク装置を確定し、該第3のネットワーク装置は、該端末装置に同じアップリンクスケジューリングシグナリングUL grantを設定するネットワーク装置のうちの1つであることと、該端末装置は該第3のネットワーク装置及び他のネットワーク装置に該メッセージ3を送信し、該他のネットワーク装置は、該少なくとも1つのネットワーク装置のうち、該端末装置に同じUL grantを設定するネットワーク装置以外のネットワーク装置であることと、を含む。
【００２５】
第2の態様では、端末装置がネットワークにアクセスするための方法を提供し、該方法は、第1のネットワーク装置は端末装置が送信したランダムアクセスプリアンブルを受信することと、該第1のネットワーク装置は該端末装置に指示情報を送信し、該指示情報は少なくとも1つのネットワーク装置が送信したランダムアクセス応答情報を受信するように該端末装置に指示するためのものであり、該少なくとも1つのネットワーク装置は該第1のネットワーク装置を含むことと、該第1のネットワーク装置は該ランダムアクセスプリアンブルに基づいて、該端末装置に第1のランダムアクセス応答情報を送信することと、を含む。
【００２６】
従って、本願の実施例の端末装置がネットワークにアクセスするための方法によれば、端末装置はネットワーク装置にランダムアクセスプリアンブルを送信し、ネットワーク装置は端末装置に指示情報を送信し、該指示情報によって少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【００２７】
第2の態様を参照して、第2の態様の一実現方式では、該指示情報は該少なくとも1つのネットワーク装置の識別子を含む。
【００２８】
第2の態様及び上記実現方式を参照して、第2の態様の別の実現方式では、該方法は更に、該第1のネットワーク装置は該端末装置が送信したメッセージ3を受信し、該メッセージ3は該少なくとも1つのネットワーク装置における一部又は全部のネットワーク装置の識別子を含み、該一部又は全部のネットワーク装置は該第1のネットワーク装置を含むことと、該第1のネットワーク装置は該一部又は全部のネットワーク装置の識別子に基づいて、該一部又は全部のネットワーク装置のうち、該第1のネットワーク装置以外の他のネットワーク装置と協議して、該端末装置にメッセージ4を送信するターゲットネットワーク装置を確定することと、を含む。
【００２９】
第3の態様では、端末装置がネットワークにアクセスするための方法を提供し、該方法は、第2のネットワーク装置は端末装置が送信したランダムアクセスプリアンブルを受信することと、該第2のネットワーク装置は該ランダムアクセスプリアンブルに基づいて、該端末装置に第2のランダムアクセス応答情報を送信することと、該第2のネットワーク装置は該端末装置が送信したメッセージ3を受信し、該メッセージ3は少なくとも2つのネットワーク装置の識別子を含むことと、該第2のネットワーク装置は該少なくとも2つのネットワーク装置の識別子に基づいて、該少なくとも2つのネットワーク装置のうち、該第2のネットワーク装置以外の他のネットワーク装置と協議して、該端末装置にメッセージ4を送信するターゲットネットワーク装置を確定することと、を含む。
【００３０】
従って、本願の実施例の端末装置がネットワークにアクセスするための方法によれば、端末装置はネットワーク装置にランダムアクセスプリアンブルを送信し、ネットワーク装置は端末装置に指示情報を送信し、該指示情報によって少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【００３１】
第4の態様では、上記第1の態様又は第1の態様の任意可能な実現方式における方法を実行することに用いられる端末装置を提供する。具体的に、該端末装置は、上記第1の態様又は第1の態様の任意可能な実現方式における方法を実行するためのユニットを備える。
【００３２】
第5の態様では、上記第2の態様又は第2の態様の任意可能な実現方式における方法を実行することに用いられるネットワーク装置を提供する。具体的に、該ネットワーク装置は、上記第2の態様又は第2の態様の任意可能な実現方式における方法を実行するためのユニットを備える。
【００３３】
第6の態様では、上記第3の態様又は第3の態様の任意可能な実現方式における方法を実行することに用いられるネットワーク装置を提供する。具体的に、該ネットワーク装置は、上記第3の態様又は第3の態様の任意可能な実現方式における方法を実行するためのユニットを備える。
【００３４】
第7の態様では記憶ユニットとプロセッサを備える端末装置を提供し、該記憶ユニットは指令を記憶することに用いられ、該プロセッサは該メモリに記憶される指令を実行することに用いられ、該プロセッサが該メモリに記憶される指令を実行する場合、該実行によって該プロセッサは第1の態様又は第1の態様の任意可能な実現方式における方法を実行する。
【００３５】
第8の態様では記憶ユニットとプロセッサを備えるネットワーク装置を提供し、該記憶ユニットは指令を記憶することに用いられ、該プロセッサは該メモリに記憶される指令を実行することに用いられ、該プロセッサが該メモリに記憶される指令を実行する場合、該実行によって該プロセッサは第2の態様又は第2の態様の任意可能な実現方式における方法を実行する。
【００３６】
第9の態様では記憶ユニットとプロセッサを備えるネットワーク装置を提供し、該記憶ユニットは指令を記憶することに用いられ、該プロセッサは該メモリに記憶される指令を実行することに用いられ、該プロセッサが該メモリに記憶される指令を実行する場合、該実行によって該プロセッサは第3の態様又は第3の態様の任意可能な実現方式における方法を実行する。
【００３７】
第10の態様ではコンピュータプログラムを記憶することに用いられるコンピュータ読み取り可能な媒体を提供し、該コンピュータプログラムは第1の態様又は第1の態様の任意可能な実現方式における方法を実行することに用いられる指令を含む。
【００３８】
第11の態様ではコンピュータプログラムを記憶することに用いられるコンピュータ読み取り可能な媒体を提供し、該コンピュータプログラムは第2の態様又は第2の態様の任意可能な実現方式における方法を実行することに用いられる指令を含む。
【００３９】
第12の態様ではコンピュータプログラムを記憶することに用いられるコンピュータ読み取り可能な媒体を提供し、該コンピュータプログラムは第3の態様又は第3の態様の任意可能な実現方式における方法を実行することに用いられる指令を含む。
【図面の簡単な説明】
【００４０】
【図１】図1は本願の実施例による端末装置がネットワークにアクセスするための方法の模式的なフローチャートである。
【図２】図2は本願の実施例による端末装置がネットワークにアクセスするための方法の他の模式的なフローチャートである。
【図３】図3は本願の実施例による端末装置がネットワークにアクセスするための方法の更なる模式的なフローチャートである。
【図４】図4は本願の実施例による端末装置の模式的なブロック図である。
【図５】図5は本願の実施例によるネットワーク装置の模式的なブロック図である。
【図６】図6は本願の実施例によるネットワーク装置の他の模式的なブロック図である。
【図７】図7は本願の実施例による端末装置の他の模式的なブロック図である。
【図８】図8は本願の実施例によるネットワーク装置の更なる模式的なブロック図である。
【図９】図9は本願の実施例によるネットワーク装置の更なる模式的なブロック図である。
【発明を実施するための形態】
【００４１】
以下、図面を参照して、本願の実施例による技術的手段を説明する。
【００４２】
理解できるように、本願の実施例による技術的手段は、例えば、グローバル移動体通信（Global System of Mobile Communication、GSM）システム、符号分割多元接続(Code Division Multiple Access、CDMA)システム、広帯域符号分割多元接続(Wideband Code Division Multiple Access、WCDMA)システム、ロングタームエボリューション(Long Term Evolution、LTE)システム、LTE周波数分割複信（Frequency Division Duplex、FDD）システム、LTE時分割複信（Time Division Duplex、TDD）、汎用移動体通信システム（Universal Mobile Telecommunication System、UMTS）、及び将来の5G通信システム等の様々な通信システムに適用可能である。
【００４３】
本願では端末装置を参照して各実施例を説明する。端末装置とは、ユーザ装置（User Equipment、UE）、アクセス端末、ユーザユニット、ユーザ局、移動基地局、移動局、遠方局、遠隔端末、移動装置、ユーザ端末、端末、無線通信装置、ユーザエージェント又はユーザデバイスを指してもよい。アクセス端末は、セルラー電話、コードレス電話、セッション開始プロトコル(Session Initiation Protocol、SIP)電話、ワイヤレスローカルループ(Wireless Local Loop、WLL)局、パーソナルデジタルアシスタント（Personal Digital Assistant、PDA）、無線通信機能を備えるハンドヘルド装置、計算装置又は無線モデムに接続される他の処理装置、車載装置、ウェアラブルデバイス、将来の5Gネットワークにおける端末装置又は将来進化するPLMNネットワークにおける端末装置等であってもよい。
【００４４】
本願ではネットワーク装置を参照して各実施例を説明する。ネットワーク装置は端末装置と通信することに用いられる装置であってもよく、例えば、GSMシステム又はCDMAにおける基地局（Base Transceiver Station、BTS）であってもよく、WCDMAシステムにおける基地局（NodeB、NB）であってもよく、更にLTEシステムにおける進化型基地局（Evolutional Node B、eNB又はeNodeB）であってもよく、或いは、該ネットワーク装置は中継局、アクセスポイント、車載装置、ウェアラブルデバイス及び将来の5Gネットワークにおけるネットワーク側装置又は将来進化するPLMNネットワークにおけるネットワーク側装置等であってもよい。
【００４５】
図1は本願の実施例による端末装置がネットワークにアクセスするための方法100の模式的なフローチャートを示し、該方法100は端末装置により実行されてもよく、具体的に、図1に示すように、該方法100は、
端末装置はランダムアクセスプリアンブルを送信するS110と、
該端末装置は第1のネットワーク装置が送信した指示情報を受信するS120と、
該端末装置は該指示情報に基づいて、少なくとも1つのネットワーク装置が送信したランダムアクセス応答情報を受信し、該少なくとも1つのネットワーク装置は該第1のネットワーク装置を含むS130と、を含む。
【００４６】
具体的に、理解できるように、端末装置は駐在セル内でアクセス要求を開始し、ネットワーク装置にランダムアクセスプリアンブル（PRACH preamble）を送信し、端末装置は第1のネットワーク装置が送信した指示情報を受信することができ、該指示情報は駐在セル内でPRACH preambleを送信してネットワークへのアクセスを要求した後に、少なくとも1つのネットワーク装置の送信したランダムアクセス応答RAR情報を検出するように該端末装置に指示することができる。例えば、該指示情報は第1のネットワーク装置のRAR情報のみを検出するように端末装置に指示してもよく、該第1のネットワーク装置は該端末装置がPRACH preambleを開始する駐在セルであり、或いは、該指示情報は複数のネットワーク装置が送信したRAR情報を検出するように端末装置に指示してもよく、該複数のネットワーク装置は第1のネットワーク装置及びPRACH preambleを受信した他のネットワーク装置を含む。
【００４７】
従って、本願の実施例の端末装置がネットワークにアクセスするための方法によれば、端末装置はネットワーク装置にランダムアクセスプリアンブルを送信し、ネットワーク装置が送信した指示情報を受信し、該指示情報によって少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【００４８】
S110において、端末装置はPRACH preambleを送信する。アイドル状態にある端末装置が駐在セル内で初期アクセス要求を開始する場合、PRACHリソースを占有してネットワーク装置にPRACH preambleを送信することができる。異なるセルは異なるPRACHリソースを有することができるため、端末装置が複数のセルの共有するPRACHリソースにおいてPRACH preambleを送信する場合、該複数のセルに対応するネットワーク装置は該PRACH preambleを受信することができる。
【００４９】
S120において、該端末装置は第1のネットワーク装置が送信した指示情報を受信し、該指示情報は少なくとも1つのネットワーク装置が送信したRAR情報を受信するように該端末装置に指示するためのものである。具体的に、該第1のネットワーク装置は駐在セルに対応するネットワーク装置であってもよく、該第1のネットワーク装置はセルシステムブロードキャスト（system information broadcasting、SIB）を介して該指示情報を送信してもよい。
【００５０】
理解できるように、該指示情報は該少なくとも1つのネットワーク装置の識別子を含んでもよい。具体的に、第1のネットワーク装置は指示情報において、少なくとも1つのネットワーク装置のセル識別コード（cell ID）リストを提供してもよい。
【００５１】
選択肢として、該指示情報はランダムアクセス無線ネットワーク一時的アイデンティティ（Random Access_Radio Network Tempory Identity、RA_RNTI）を含んでもよい。従来技術において、ランダムアクセス過程で、端末装置はRA_RNTIにより物理ダウンリンク制御チャネル（Physical Downlink Control Channel、PDCCH）において伝送されるRAR情報を検出する必要があるため、端末装置はRA_RNTIにより対応するRAR情報を受信する必要があり、且つRA_RNTIはPRACH preambleの開始に用いられる時間周波数リソースのみに関係する。しかし、本願の実施例において、該指示情報はcell IDリストとRA_RNTIを含んでもよく、即ち端末装置はcell IDリストとRA_RNTIの両方により、少なくとも1つのネットワーク装置を確定することができる。
【００５２】
理解できるように、各セルで共有されるPRACHリソースにおいて送信されるPRACH preambleだけは、複数のセルに対応するネットワーク装置に受信されることができる。従って、第1のネットワーク装置が指示情報により、少なくとも1つのネットワーク装置のRAR情報を受信するように端末に指示する場合、該第1のネットワーク装置は、どのPRACHリソースにおいて送信されるPRACH preambleに対応する端末装置がRARウィンドウ（window）内で複数のセルに対応するネットワーク装置からの応答（RAR）を受信する必要があるかをより具体的に指示することができる。これらのPRACHリソースは該セルPRACHリソースの一部であってもよく、具体的には時間、周波数及びコードドメインリソースのうちの少なくとも1つによって指示されてもよい。
【００５３】
S130において、該端末装置は該指示情報に基づいて、少なくとも1つのネットワーク装置が送信したランダムアクセス応答情報を受信し、該少なくとも1つのネットワーク装置は該第1のネットワーク装置を含む。具体的に、端末装置は指示情報に基づいて少なくとも1つのネットワーク装置を確定し、該少なくとも1つのネットワーク装置は第1のネットワーク装置を含み、第2のネットワーク装置も含んでもよく、該第2のネットワーク装置は非駐在セルに対応する1つ又は複数のネットワーク装置であってもよく、例えば、該非駐在セルは駐在セルに隣接する他のアクセスを開始しないセルであってもよい。
【００５４】
該少なくとも1つのネットワーク装置が第1のネットワーク装置のみを含む場合、端末装置はPRACH preambleを送信した後、他のネットワーク装置の送信したRAR情報を検出せずに、RAR情報の受信を待つRAR windowにおいて第1のネットワーク装置の送信したRAR情報を受信する必要がある。該少なくとも1つのネットワーク装置が第1のネットワーク装置及び他のネットワーク装置を含み、即ち第2のネットワーク装置を更に含む場合、端末装置はPRACH preambleを送信した後、RAR windowにおいて第1のネットワーク装置の送信したRAR情報、及び指示情報で指示された他のネットワーク装置の送信したRAR情報を、RAR windowが終了するまで受信する。ここで、該第2のネットワーク装置は1つ又は複数のネットワーク装置であってもよい。
【００５５】
本願の実施例において、端末装置が指示情報に基づいて複数のネットワーク装置のRAR情報を受信し、即ち指示情報が指示する少なくとも1つのネットワーク装置の個数が2以上である場合、プリセットのルールに従って、複数のネットワーク装置においてターゲットネットワーク装置を確定し、端末装置は該ターゲットネットワーク装置にメッセージ3（Msg3）を送信して、該ターゲットネットワーク装置の送信したメッセージ4（Msg4）を受信し、それにより該端末装置と該ターゲットネットワーク装置は接続を確立することができる。ここで、該Msg3とMsg4は従来技術で端末装置がセルにアクセスする時に送信するMsg3を多重化することができる。
【００５６】
具体的に、複数のネットワーク装置における各ネットワーク装置の送信したRAR情報は、タイミングアドバンス量（timing advance、TA）及び/又は該各ネットワーク装置の負荷比率を含んでもよく、ここで、TAは端末装置からネットワーク装置へのアップリンク信号の伝播遅延を示し、負荷比率はネットワーク装置の現在のビジーアイドル状態を示してもよい。端末装置は複数のネットワーク装置のそれぞれから送信されたRAR情報を受信し、該RAR情報におけるTA及び/又は各ネットワーク装置の負荷比率に基づいて、複数のネットワーク装置においてターゲットネットワーク装置を確定する。
【００５７】
選択肢として、該プリセットのルールは、複数のネットワーク装置のうち、TAが最も小さいものに対応するネットワーク装置をターゲットネットワーク装置として確定することであってもよい。この場合、端末装置は距離が比較的近いセルを選択してアクセスすることができる。
【００５８】
選択肢として、該プリセットのルールは、複数のネットワーク装置のうち、負荷比率が最も小さいネットワーク装置をターゲットネットワーク装置として確定し、ネットワーク負荷をバランスさせることができる。
【００５９】
選択肢として、該プリセットのルールは、TAと負荷比率を組み合わせて、複数のネットワーク装置においてターゲットネットワーク装置を確定することであってもよい。例えば、複数のネットワーク装置のうち、負荷比率が最も小さい1つ又は複数のネットワーク装置を確定し、該1つ又は複数のネットワーク装置のうち、TAの最小値に対応するネットワーク装置を確定し、該ネットワーク装置をターゲットネットワーク装置として確定する。
【００６０】
理解できるように、端末装置は上記プリセットのルールに従って、受信した複数のRAR情報に対応する複数のネットワーク装置において、ターゲットネットワーク装置を確定してアクセスしてもよく、該プリセットのルールは、予め端末装置に設定されていてもよく、或いは第1のネットワーク装置を介して該端末装置に該プリセットのルールを設定してもよく、例えば、該第1のネットワーク装置が該端末装置に送信する指示情報は、該プリセットのルールを含んでもよく、本発明の実施例はこれに限定されない。
【００６１】
理解できるように、該端末装置は該複数のネットワーク装置においてターゲットネットワーク装置を確定し、該ターゲットネットワーク装置の送信したRAR情報に含まれるUL grant(アップリンクスケジューリング情報)指示に基づいて、該ターゲットネットワーク装置にMsg3を送信し、端末装置のPRACHフローを完成する。
【００６２】
本願の実施例において、端末装置が指示情報に基づいて複数のネットワーク装置のRAR情報を受信し、即ち指示情報が指示する少なくとも1つのネットワーク装置の個数が2以上である場合、端末装置は該複数のネットワーク装置における一部又は全部のネットワーク装置にMsg3を送信することができ、該Msg3は該一部又は全部のネットワーク装置の識別子を含んでもよく、それにより該一部又は全部のネットワーク装置は協議してターゲットネットワーク装置を確定し、該ターゲットネットワーク装置は該端末装置にMsg4を送信し、それにより該端末装置と該ターゲットネットワーク装置は接続を確立する。
【００６３】
選択肢として、端末装置は該複数のネットワーク装置における一部のネットワーク装置にMsg3を送信することができる。具体的に、該複数のネットワーク装置には、端末装置に同じアップリンクスケジューリングシグナリングUL grantを設定するネットワーク装置が含まれる場合、端末装置はプリセットのルールに従って、これらの端末装置に同じUL grantを設定するネットワーク装置において、1つの第3のネットワーク装置を確定してもよく、ここで、該プリセットのルールは、該RAR情報におけるTA及び/又は該各ネットワーク装置の負荷比率に基づいて、第3のネットワーク装置を確定することであってもよい。
【００６４】
例えば、端末は4つのネットワーク装置の送信したRAR情報を受信し、それぞれはネットワーク装置A、B、C、とDであり、ここで、ネットワーク装置Bとネットワーク装置Dは端末装置に同じUL grantを設定し、この場合、該端末装置は該ネットワーク装置Bとネットワーク装置Dの送信したRAR情報におけるTA及び/又は負荷比率に基づいて、ネットワーク装置B又はネットワーク装置Dを確定することができ、例えば、ネットワーク装置BのTAはネットワーク装置DのTAよりも遥かに小さく、プリセットのルールに従って、端末装置はネットワーク装置Bを第3のネットワーク装置として確定し、この場合、端末装置はネットワーク装置A、B、とCにMsg3を送信する。ここで、該Msg3はネットワーク装置A、B、とCを含み、それによりネットワーク装置A、B、とCは協議してターゲットネットワーク装置を確定し、例えば、ネットワーク装置Cをターゲットネットワーク装置として確定する場合、ネットワーク装置Cは端末装置にMsg4を送信して、端末装置は該ネットワーク装置Cにアクセスする。
【００６５】
選択肢として、端末装置は該複数のネットワーク装置における全部のネットワーク装置にMsg3を送信することができる。該全部のネットワーク装置には、端末装置に同じUL grantを設定するネットワーク装置が存在しない場合、端末装置は全部のネットワーク装置における各ネットワーク装置にMsg3を送信し、該Msg3は該全部のネットワーク装置の識別子を含み、該全部のネットワーク装置は協議してターゲットネットワーク装置を確定し、該ターゲットネットワーク装置は端末装置にMsg4を送信し、それにより該端末装置は該ターゲットネットワーク装置のセルにアクセスする。
【００６６】
従って、本願の実施例の端末装置がネットワークにアクセスするための方法によれば、端末装置はネットワーク装置にランダムアクセスプリアンブルを送信し、ネットワーク装置が送信した指示情報を受信し、該指示情報によって少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【００６７】
図2は本願の実施例による端末装置がネットワークにアクセスするための方法200の模式的なフローチャートを示し、該方法200はネットワーク装置により実行されてもよく、具体的に、図2に示すように、該方法200は、
第1のネットワーク装置は端末装置が送信したランダムアクセスプリアンブルを受信するS210と、
該第1のネットワーク装置は該端末装置に指示情報を送信し、該指示情報は少なくとも1つのネットワーク装置が送信したランダムアクセス応答情報を受信するように該端末装置に指示するためのものであり、該少なくとも1つのネットワーク装置は該第1のネットワーク装置を含むS220と、
該第1のネットワーク装置は該ランダムアクセスプリアンブルに基づいて、該端末装置に第1のランダムアクセス応答情報を送信するS230と、を含む。
【００６８】
選択肢として、該指示情報は少なくとも1つのネットワーク装置の識別子を含む。
【００６９】
選択肢として、該方法は更に、該第1のネットワーク装置は該端末装置が送信したメッセージ3を受信し、該メッセージ3は該少なくとも1つのネットワーク装置における一部又は全部のネットワーク装置の識別子を含み、該一部又は全部のネットワーク装置は該第1のネットワーク装置を含むことと、該第1のネットワーク装置は該一部又は全部のネットワーク装置の識別子に基づいて、該一部又は全部のネットワーク装置のうち、該第1のネットワーク装置以外の他のネットワーク装置と協議して、該端末装置にメッセージ4を送信するターゲットネットワーク装置を確定することと、を含む。
【００７０】
理解できるように、本願の実施例における第1のネットワーク装置は、方法100における第1のネットワーク装置に対応し、方法100における第1のネットワーク装置の方法に対応し実行することができる。ここで繰り返して説明しない。
【００７１】
従って、本願の実施例の端末装置がネットワークにアクセスするための方法によれば、端末装置はネットワーク装置にランダムアクセスプリアンブルを送信し、ネットワーク装置は端末装置に指示情報を送信し、該指示情報によって少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【００７２】
図3は本願の実施例による端末装置がネットワークにアクセスするための方法200の模式的なフローチャートを示し、該方法300はネットワーク装置により実行されてもよく、具体的に、図3に示すように、該方法300は、
第2のネットワーク装置は端末装置が送信したランダムアクセスプリアンブルを受信するS310と、
該第2のネットワーク装置は該ランダムアクセスプリアンブルに基づいて、該端末装置に第2のランダムアクセス応答情報を送信するS320と、
該第2のネットワーク装置は該端末装置が送信したメッセージ3を受信し、該メッセージ3は少なくとも2つのネットワーク装置の識別子を含むS330と、
該第2のネットワーク装置は該少なくとも2つのネットワーク装置の識別子に基づいて、該少なくとも2つのネットワーク装置のうち、該第2のネットワーク装置以外の他のネットワーク装置と協議して、該端末装置にメッセージ4を送信するターゲットネットワーク装置を確定するS340と、を含む。
【００７３】
理解できるように、本願の実施例における第2のネットワーク装置は、方法100における第2のネットワーク装置に対応し、方法200における第2のネットワーク装置の方法に対応し実行することができる。ここで繰り返して説明しない。
【００７４】
従って、本願の実施例の端末装置がネットワークにアクセスするための方法によれば、端末装置はネットワーク装置にランダムアクセスプリアンブルを送信し、ネットワーク装置は端末装置に指示情報を送信し、該指示情報によって少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【００７５】
理解できるように、本願の様々な実施例において、上記各過程の番号の大きさは実行順序の前後を意味するものではなく、各過程の実行順序はその機能と内的論理によって決定されるべきであり、本願の実施例の実施過程に対する何ら限定ではない。
【００７６】
以上は図1〜図3を参照して、本願の実施例による端末装置がネットワークにアクセスするための方法を詳細に説明した。以下、図4〜図9を参照して、本願の実施例による端末装置がネットワークにアクセスするための装置を説明する。
【００７７】
図4に示すように、本願の実施例による端末装置400は、
ランダムアクセスプリアンブルを送信することに用いられる送信ユニット410と、
第1のネットワーク装置が送信した指示情報を受信することに用いられる受信ユニット420と、を備え、
該受信ユニット420は更に、該指示情報に基づいて、少なくとも1つのネットワーク装置が送信したランダムアクセス応答情報を受信することに用いられ、該少なくとも1つのネットワーク装置は該第1のネットワーク装置を含む。
【００７８】
従って、本願の実施例の端末装置はネットワーク装置にランダムアクセスプリアンブルを送信し、ネットワーク装置が送信した指示情報を受信し、該指示情報によって少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【００７９】
選択肢として、該指示情報は、該第1のネットワーク装置と第2のネットワーク装置が送信したランダムアクセス応答情報を受信するように該端末装置に指示するためのものであり、該少なくとも1つのネットワーク装置は該第2のネットワーク装置を含み、該受信ユニット420は更に、該第1のネットワーク装置と該第2のネットワーク装置が送信したランダムアクセス応答情報を受信することに用いられる。
【００８０】
選択肢として、該指示情報は少なくとも1つのネットワーク装置の識別子を含む。
【００８１】
選択肢として、該端末装置は、該受信ユニット420が該指示情報に基づいて少なくとも1つのネットワーク装置の送信したランダムアクセス応答情報を受信した後、該少なくとも1つのネットワーク装置においてターゲットネットワーク装置を確定することに用いられる確定ユニット430を更に備え、該送信ユニット430は更に、該ターゲットネットワーク装置にメッセージ3を送信することに用いられる。
【００８２】
選択肢として、該少なくとも1つのネットワーク装置における各ネットワーク装置のランダムアクセス応答情報は、タイミングアドバンス量及び/又は該各ネットワーク装置の負荷比率を含み、該タイミングアドバンス量は該端末装置から該各ネットワーク装置へのアップリンク無線信号の伝播遅延であり、該確定ユニット430は更に、該タイミングアドバンス量及び/又は該負荷比率に基づいて、該少なくとも1つのネットワーク装置において該ターゲットネットワーク装置を確定することに用いられる。
【００８３】
選択肢として、該指示情報はプリセットのルールを含み、該確定ユニット430は更に、該プリセットのルールに従って、該タイミングアドバンス量及び/又は該負荷比率に基づいて、該少なくとも1つのネットワーク装置において該ターゲットネットワーク装置を確定することに用いられる。
【００８４】
選択肢として、該プリセットのルールは、該少なくとも1つのネットワーク装置のうち、タイミングアドバンス量が最も小さいものに対応するネットワーク装置を該ターゲットネットワーク装置として確定することであり、又は、該プリセットのルールは、該少なくとも1つのネットワーク装置のうち、負荷比率が最も小さいネットワーク装置を該ターゲットネットワーク装置として確定することである。
【００８５】
選択肢として、該送信ユニット410は更に、該少なくとも1つのネットワーク装置における一部又は全部のネットワーク装置にメッセージ3を送信することに用いられ、該メッセージ3は該一部又は全部のネットワーク装置の識別子を含み、該確定ユニット430は更に、メッセージ4を送信するネットワーク装置が該ターゲットネットワーク装置であることを確定することに用いれる。
【００８６】
選択肢として、該確定ユニット430は更に、プリセットのルールに従って、該少なくとも1つのネットワーク装置において第3のネットワーク装置を確定することに用いられ、該第3のネットワーク装置は、該端末装置に同じアップリンクスケジューリングシグナリングUL grantを設定するネットワーク装置のうちの1つであり、該送信ユニット410は更に、該第3のネットワーク装置及び他のネットワーク装置に該メッセージ3を送信することに用いられ、該他のネットワーク装置は、該少なくとも1つのネットワーク装置のうち、該端末装置に同じUL grantを設定するネットワーク装置以外のネットワーク装置である。
【００８７】
理解できるように、本願の実施例による端末装置400は、本願の実施例における方法100の実行に対応することができ、そして端末装置400における各ユニットの上記と他の操作及び/又は機能は、それぞれ図1の各方法の対応するフローを実現するためのものであり、簡明のために、ここでは繰り返して説明しない。
【００８８】
従って、本願の実施例の端末装置はネットワーク装置にランダムアクセスプリアンブルを送信し、ネットワーク装置が送信した指示情報を受信し、該指示情報によって少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【００８９】
図5に示すように、本願の実施例によるネットワーク装置500は、
端末装置が送信したランダムアクセスプリアンブルを受信することに用いられる受信ユニット510と、
該端末装置に指示情報を送信することに用いられ、該指示情報は少なくとも1つのネットワーク装置が送信したランダムアクセス応答情報を受信するように該端末装置に指示するためのものであり、該少なくとも1つのネットワーク装置は該ネットワーク装置を含む、送信ユニット520と、を備え、
該送信ユニット520は更に、該ランダムアクセスプリアンブルに基づいて、該端末装置に第1のランダムアクセス応答情報を送信することに用いられる。
【００９０】
従って、本願の実施例のネットワーク装置によれば、端末装置がネットワーク装置に送信したランダムアクセスプリアンブルに対して、ネットワーク装置は端末装置に指示情報を送信することによって、少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【００９１】
選択肢として、該指示情報は少なくとも1つのネットワーク装置の識別子を含む。
【００９２】
選択肢として、該受信ユニット510は更に、該端末装置が送信したメッセージ3を受信し、該メッセージ3は該少なくとも1つのネットワーク装置における一部又は全部のネットワーク装置の識別子を含み、該一部又は全部のネットワーク装置は該ネットワーク装置を含むことと、該一部又は全部のネットワーク装置の識別子に基づいて、該一部又は全部のネットワーク装置のうち、該ネットワーク装置以外の他のネットワーク装置と協議して、該端末装置にメッセージ4を送信するターゲットネットワーク装置を確定することと、に用いられる。
【００９３】
理解できるように、本願の実施例によるネットワーク装置500は、本願の実施例における方法200の実行に対応することができ、そしてネットワーク装置500における各ユニットの上記と他の操作及び/又は機能は、それぞれ図2の各方法の対応するフローを実現するためのものであり、簡明のために、ここでは繰り返して説明しない。
【００９４】
従って、本願の実施例のネットワーク装置によれば、端末装置がネットワーク装置に送信したランダムアクセスプリアンブルに対して、ネットワーク装置は端末装置に指示情報を送信することによって、少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【００９５】
図6に示すように、本願の実施例によるネットワーク装置600は、
端末装置が送信したランダムアクセスプリアンブルを受信することに用いられる受信ユニット610と、
該ランダムアクセスプリアンブルに基づいて、該端末装置に第2のランダムアクセス応答情報を送信することに用いられる送信ユニット620と、
該少なくとも2つのネットワーク装置の識別子に基づいて、該少なくとも2つのネットワーク装置のうち、該ネットワーク装置以外の他のネットワーク装置と協議して、該端末装置にメッセージ4を送信するターゲットネットワーク装置を確定することに用いられる確定ユニット630と、を備え、
該受信ユニット610は更に、該端末装置が送信したメッセージ3を受信することに用いられ、該メッセージ3は少なくとも2つのネットワーク装置の識別子を含む。
【００９６】
理解できるように、本願の実施例によるネットワーク装置600は、本願の実施例における方法300の実行に対応することができ、そしてネットワーク装置600における各ユニットの上記と他の操作及び/又は機能は、それぞれ図3の各方法の対応するフローを実現するためのものであり、簡明のために、ここでは繰り返して説明しない。
【００９７】
従って、本願の実施例のネットワーク装置は、端末装置が送信したランダムアクセスプリアンブルを受信することができ、そして端末装置は受信した指示情報に基づいて、該ネットワーク装置を含む少なくとも1つのネットワーク装置の送信したランダムアクセス応答情報を受信し、該少なくとも1つのネットワーク装置の間には協議して、端末がアクセスするネットワーク装置を確定して、システムの利用率を高める。
【００９８】
図7は本願の実施例による端末装置700の模式的なブロック図を示し、図7に示すように、該端末装置700はプロセッサ710及び送受信機720を備え、プロセッサ710は送受信機720に接続され、選択肢として、該端末装置700はメモリ730を更に備え、メモリ730はプロセッサ710に接続される。ここで、プロセッサ710、メモリ730及び送受信機720の間には内部接続通路を介して互いに通信し、制御及び/又はデータ信号を伝達する。該メモリ730は指令の記憶に用いられてもよく、該プロセッサ710は該メモリ730に記憶される指令を実行して、送受信機720の情報又は信号の送信を制御することに用いられてもよく、送受信機720は、ランダムアクセスプリアンブルを送信することと、第1のネットワーク装置が送信した指示情報を受信することと、該指示情報に基づいて、少なくとも1つのネットワーク装置が送信したランダムアクセス応答情報を受信し、前記少なくとも1つのネットワーク装置は該第1のネットワーク装置を含むことと、に用いられる。
【００９９】
従って、本願の実施例の端末装置はネットワーク装置にランダムアクセスプリアンブルを送信し、ネットワーク装置が送信した指示情報を受信し、該指示情報によって少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【０１００】
選択肢として、該指示情報は、該第1のネットワーク装置と第2のネットワーク装置が送信したランダムアクセス応答情報を受信するように該端末装置に指示するためのものであり、該少なくとも1つのネットワーク装置は該第2のネットワーク装置を含み、該送受信機720は更に、該第1のネットワーク装置と該第2のネットワーク装置が送信したランダムアクセス応答情報を受信することに用いられる。
【０１０１】
選択肢として、該指示情報は少なくとも1つのネットワーク装置の識別子を含む。
【０１０２】
選択肢として、該プロセッサ710は更に、該送受信機720が該指示情報に基づいて少なくとも1つのネットワーク装置の送信したランダムアクセス応答情報を受信した後、該少なくとも1つのネットワーク装置においてターゲットネットワーク装置を確定することに用いられ、該送受信機720は更に、該ターゲットネットワーク装置にメッセージ3を送信することに用いられる。
【０１０３】
選択肢として、該少なくとも1つのネットワーク装置における各ネットワーク装置のランダムアクセス応答情報は、タイミングアドバンス量及び/又は該各ネットワーク装置の負荷比率を含み、該タイミングアドバンス量は該端末装置から該各ネットワーク装置へのアップリンク無線信号の伝播遅延であり、該プロセッサ710は更に、該タイミングアドバンス量及び/又は該負荷比率に基づいて、該少なくとも1つのネットワーク装置において該ターゲットネットワーク装置を確定することに用いられる。
【０１０４】
選択肢として、該指示情報はプリセットのルールを含み、該プロセッサ710は更に、該プリセットのルールに従って、該タイミングアドバンス量及び/又は該負荷比率に基づいて、該少なくとも1つのネットワーク装置において該ターゲットネットワーク装置を確定することに用いられる。
【０１０５】
選択肢として、該プリセットのルールは、該少なくとも1つのネットワーク装置のうち、タイミングアドバンス量が最も小さいものに対応するネットワーク装置を該ターゲットネットワーク装置として確定することであり、又は、該プリセットのルールは、該少なくとも1つのネットワーク装置のうち、負荷比率が最も小さいネットワーク装置を該ターゲットネットワーク装置として確定することである。
【０１０６】
選択肢として、該送受信機720は更に、該少なくとも1つのネットワーク装置における一部又は全部のネットワーク装置にメッセージ3を送信することに用いられ、該メッセージ3は該一部又は全部のネットワーク装置の識別子を含み、該プロセッサ710は更に、メッセージ4を送信するネットワーク装置が該ターゲットネットワーク装置であることを確定することに用いれる。
【０１０７】
選択肢として、該プロセッサ710は更に、プリセットのルールに従って、該少なくとも1つのネットワーク装置において第3のネットワーク装置を確定することに用いられ、該第3のネットワーク装置は、該端末装置に同じアップリンクスケジューリングシグナリングUL grantを設定するネットワーク装置のうちの1つであり、該送受信機720は更に、該第3のネットワーク装置及び他のネットワーク装置に該メッセージ3を送信することに用いられ、該他のネットワーク装置は、該少なくとも1つのネットワーク装置のうち、該端末装置に同じUL grantを設定するネットワーク装置以外のネットワーク装置である。
【０１０８】
理解できるように、本願の実施例による端末装置700は、本願の実施例における端末装置400に対応して、本願の実施例による方法100における対応主体の実行に対応することができ、そして端末装置700における各モジュールの上記と他の操作及び/又は機能は、それぞれ図1の各方法において開始した装置の対応フローを実現するためのものであり、簡明のために、ここでは繰り返して説明しない。
【０１０９】
従って、本願の実施例の端末装置はネットワーク装置にランダムアクセスプリアンブルを送信し、ネットワーク装置が送信した指示情報を受信し、該指示情報によって少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【０１１０】
図8は本願の実施例によるネットワーク装置800の模式的なブロック図を示し、図8に示すように、該ネットワーク装置800はプロセッサ810及び送受信機820を備え、プロセッサ810は送受信機820に接続され、選択肢として、該ネットワーク装置800はメモリ830を更に備え、メモリ830はプロセッサ810に接続される。ここで、プロセッサ810、メモリ830及び送受信機820の間には内部接続通路を介して互いに通信し、制御及び/又はデータ信号を伝達する。該メモリ830は指令の記憶に用いられてもよく、該プロセッサ810は該メモリ830に記憶される指令を実行して、送受信機820の情報又は信号の送信を制御することに用いられてもよく、該送受信機820は、端末装置の送信したランダムアクセスプリアンブルを送信することと、該端末装置に指示情報を送信し、該指示情報は少なくとも1つのネットワーク装置が送信したランダムアクセス応答情報を受信するように該端末装置に指示するためのものであり、該少なくとも1つのネットワーク装置は該ネットワーク装置を含むことと、該ランダムアクセスプリアンブルに基づいて、該端末装置に第1のランダムアクセス応答情報を送信することと、に用いられる。
【０１１１】
従って、本願の実施例のネットワーク装置によれば、端末装置がネットワーク装置に送信したランダムアクセスプリアンブルに対して、ネットワーク装置は端末装置に指示情報を送信することによって、少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【０１１２】
選択肢として、該指示情報は少なくとも1つのネットワーク装置の識別子を含む。
【０１１３】
選択肢として、該送受信機820は更に、該端末装置が送信したメッセージ3を受信し、該メッセージ3は該少なくとも1つのネットワーク装置における一部又は全部のネットワーク装置の識別子を含み、該一部又は全部のネットワーク装置は該ネットワーク装置を含むことと、該一部又は全部のネットワーク装置の識別子に基づいて、該一部又は全部のネットワーク装置のうち、該ネットワーク装置以外の他のネットワーク装置と協議して、該端末装置にメッセージ4を送信するターゲットネットワーク装置を確定することと、に用いられる。
【０１１４】
理解できるように、本願の実施例によるネットワーク装置800は、本願の実施例におけるネットワーク装置500に対応して、本願の実施例による方法200における対応主体の実行に対応することができ、そしてネットワーク装置800における各モジュールの上記と他の操作及び/又は機能は、それぞれ図2の各方法において開始した装置の対応フローを実現するためのものであり、簡明のために、ここでは繰り返して説明しない。
【０１１５】
従って、本願の実施例のネットワーク装置によれば、端末装置がネットワーク装置に送信したランダムアクセスプリアンブルに対して、ネットワーク装置は端末装置に指示情報を送信することによって、少なくとも1つのネットワーク装置が送信したランダムアクセス応答情報を受信するように該端末装置に指示し、それにより端末装置は該少なくとも1つのネットワーク装置においてアクセスするネットワーク装置を選択して、システムの利用率を高めることができる。
【０１１６】
図9は本願の実施例によるネットワーク装置900の模式的なブロック図を示し、図9に示すように、該ネットワーク装置900はプロセッサ910及び送受信機920を備え、プロセッサ910は送受信機920に接続され、選択肢として、該ネットワーク装置900はメモリ930を更に備え、メモリ930はプロセッサ910に接続される。ここで、プロセッサ910、メモリ930及び送受信機920の間には内部接続通路を介して互いに通信し、制御及び/又はデータ信号を伝達する。該メモリ930は指令の記憶に用いられてもよく、該プロセッサ910は該メモリ930に記憶される指令を実行して、送受信機920の情報又は信号の送信を制御することに用いられてもよく、該送受信機920は、端末装置の送信したランダムアクセスプリアンブルを送信することと、該ランダムアクセスプリアンブルに基づいて、該端末装置に第2のランダムアクセス応答情報を送信することと、該端末装置が送信したメッセージ3を受信し、該メッセージ3は少なくとも2つのネットワーク装置の識別子を含むことと、に用いられ、該プロセッサ910は、該少なくとも2つのネットワーク装置の識別子に基づいて、該少なくとも2つのネットワーク装置のうち、該ネットワーク装置以外の他のネットワーク装置と協議して、該端末装置にメッセージ4を送信するターゲットネットワーク装置を確定することに用いられる。
【０１１７】
理解できるように、本願の実施例によるネットワーク装置900は、本願の実施例におけるネットワーク装置600に対応して、本願の実施例による方法300における対応主体の実行に対応することができ、そしてネットワーク装置900における各モジュールの上記と他の操作及び/又は機能は、それぞれ図3の各方法において開始した装置の対応フローを実現するためのものであり、簡明のために、ここでは繰り返して説明しない。
【０１１８】
従って、本願の実施例のネットワーク装置は、端末装置が送信したランダムアクセスプリアンブルを受信することができ、そして端末装置は受信した指示情報に基づいて、該ネットワーク装置を含む少なくとも1つのネットワーク装置の送信したランダムアクセス応答情報を受信し、該少なくとも1つのネットワーク装置の間には協議して、端末がアクセスするネットワーク装置を確定して、システムの利用率を高める。
【０１１９】
なお、本願の上記方法の実施例は、プロセッサに適用され、又はプロセッサによって実現されてもよい。プロセッサは集積回路チップである可能性があり、信号の処理能力を持つ。実現過程において、上記方法の実施例の各ステップは、プロセッサ内のハードウェアの集積論理回路又はソフトウェア形態の指令によって達成できる。上記プロセッサは汎用プロセッサ、デジタルシグナルプロセッサ（Digital Signal Processor、DSP）、専用集積回路（Application Specific Integrated Circuit、ASIC）、フィールドプログラマブルゲートアレイ（Field Programmable Gate Array、FPGA）又は他のプログラマブル論理デバイス、ディスクリートゲート又はトランジスタ論理デバイス、ディスクリートハードウェアモジュールであってもよい。本願の実施例に開示される様々な方法、ステップ及び論理ブロック図は、実現又は実行されることができる。汎用プロセッサはマイクロプロセッサであってもよく、或いは、該プロセッサは任意の通常のプロセッサ等であってもよい。本願の実施例を組合わせて開示された方法のステップは、直接にハードウェアデコードプロセッサで実行され、或いは、デコードプロセッサにおけるハードウェア及びソフトウェアのモジュールの組合せで実行される。ソフトウェアモジュールはランダムアクセスメモリ、フラッシュメモリ、読み出し専用メモリ、プログラマブル読み出し専用メモリ、又は電気的に書き換え可能なプログラマブルメモリ、レジスタ等の本分野で成熟した記憶媒体に位置してもよい。該記憶媒体はメモリにあり、プロセッサはメモリ内の情報を読み取り、そのハードウェアと共に上記方法のステップを完成する。
【０１２０】
理解できるように、本願の実施例におけるメモリは揮発性メモリ又は不揮発性メモリであってもよく、或いは揮発性メモリと不揮発性メモリの両方を含んでもよい。ここで、不揮発性メモリは、読み出し専用メモリ（Read-Only Memory、ROM）、プログラマブル読み出し専用メモリ（Programmable ROM、PROM）、消去可能プログラマブル読み出し専用メモリ（Erasable PROM、EPROM）、電気的消去可能プログラマブル読み出し専用メモリ（Electrically EPROM，EEPROM）又はフラッシュメモリであってもよい。揮発性メモリは、外部キャッシュとして使用するランダムアクセスメモリ（Random Access Memory、RAM）であってもよい。限定的でなく例示的な説明により、多くの形式のRAM、例えばスタティックランダムアクセスメモリ（Static RAM、SRAM）、ダイナミックランダムアクセスメモリ（Dynamic RAM、DRAM）、シンクロナスダイナミックランダムアクセスメモリ（Synchronous DRAM、SDRAM）、ダブルデータレート同期ダイナミックランダムアクセスメモリ（Double Data Rate SDRAM、DDR SDRAM）、拡張同期ダイナミックランダムアクセスメモリ（Enhanced SDRAM、ESDRAM）、同期接続ダイナミックランダムアクセスメモリ（Synchlink DRAM、SLDRAM）、ダイレクトメモリアクセスメモリ（Direct Rambus RAM、DR RAM）は利用可能である。なお、本明細書で説明するシステム及び方法のメモリは、これらのメモリ及びその他の任意の適切なタイプのメモリを含むが、これらに限定されない。
【０１２１】
理解できるように、本明細書における用語の「及び/又は」は、単に関連対象の関連関係を記述するものであり、3つの関係が存在し得ることを示し、例えば、A及び/又はBは、Aが単独で存在する場合、AとBが同時に存在する場合、Bが単独で存在する場合の3つの場合を表すことができる。また、本文中の文字「/」は、一般的に前後関連対象が「又は」の関係であることを示す。
【０１２２】
当業者が認識できるように、本明細書で開示する実施例に説明した様々な例示のユニット及びアルゴリズムステップは、電子ハードウェア、又はコンピュータソフトウェアと電子ハードウェアとの組合せで実現できる。これらの機能がハードウェアで実行されるかそれともソフトウェアで実行されるかは、技術的手段の特定の適用と設計制約条件によって決められる。専門技術者は、各特定の適用に対して異なる方法を使用して、記述された機能を実現することができるが、そのような実現は本願の範囲を超えるとは考えられない。
【０１２３】
当業者が明らかに理解できるように、説明の便宜と簡明のために、上記説明したシステム、装置及びユニットの具体的な動作過程については、前述した方法の実施例における対応の過程を参照でき、ここでは繰り返して説明しない。
【０１２４】
本願によるいくつかの実施例において、理解できるように、開示されるシステム、装置及び方法は、他の方式で実現されてもよい。例えば、上記装置の実施例は概略的なものに過ぎなく、例えば、前記ユニットの区分はただ論理機能の区分であり、実際に実現する時に他の区分方式があってもよく、例えば、複数のユニット又はモジュールは組合せってもよく、又は他のシステムに集積されてもよく、又は幾つかの特徴は無視され、又は実行されなくてもよい。また、表示又は説明した相互間のカップリング又は直接カップリング又は通信接続は、いくつかのインターフェース、装置又はユニットを介した間接カップリング又は通信接続であってもよく、電気的、機械的、又は他の形式であってもよい。
【０１２５】
前記分離部品として説明したユニットは物理的に分離したものであってもよくでなくてもよく、ユニットとして表示した部品は物理ユニットであってもよくでなくてもよく、1つの場所に位置してもよく、複数のネットワークユニットに分布してもよい。実際の需要に応じて、その一部又は全部のユニットを選択して本実施例の手段の目的を実現してもよい。
【０１２６】
また、本願の各実施例における各機能ユニットは、1つの処理ユニットに集積されたものであってもよく、各ユニットがそれぞれ物理的に存在するものであってもよく、2つ以上のユニットが1つのユニットに集積されたものであってもよい。
【０１２７】
前記機能はソフトウェア機能ユニットの形式で実現され且つ独立の製品として販売され又は使用される場合、コンピュータ読み取り可能な記憶媒体に記憶されてもよい。このような理解に基づいて、本願の技術的手段の本質又は従来技術に対する貢献の部分又は該技術的手段の部分はソフトウェア製品の形式で体現してもよく、該コンピュータソフトウェア製品は1つの記憶媒体に記憶され、1つのコンピュータ装置（パソコン、サーバ、又はネットワーク装置等であってもよい）が本願の各実施例に記載の方法の全部又は一部のステップを実行するための若干の指令を含む。前記記憶媒体は、Uディスク、移動ハードディスク、読み出し専用メモリ（ROM、Read-Only Memory）、ランダムアクセスメモリ（RAM、Random Access Memory）、ディスク又は光ディスク等の各種のプログラムコードを記憶可能な媒体を含む。
【０１２８】
上記のものは本願の具体的な実施形態に過ぎなく、本願の保護範囲はこれに限定されるものではなく、いかなる当業者が本願の開示した技術範囲内において容易に想到し得る変化又は置き換えは、いずれも本願の保護範囲内に含まれるべきである。従って、本願の保護範囲は記載の請求項の保護範囲を基準とするべきである。
【図１】
2020515171.tif 000003
【図２】
2020515171.tif 000004
【図３】
2020515171.tif 000005
【図４】
2020515171.tif 000006
【図５】
2020515171.tif 000007
【図６】
2020515171.tif 000008
【図７】
2020515171.tif 000009
【図８】
2020515171.tif 000010
【図９】
2020515171.tif 000011
【手続補正書】
【提出日】令和2年3月11日(2020.3.11)
【手続補正１】
【補正対象書類名】明細書
【補正対象項目名】００３４
【補正方法】変更
【補正の内容】
【００３４】
第7の態様ではメモリとプロセッサを備える端末装置を提供し、該メモリは指令を記憶することに用いられ、該プロセッサは該メモリに記憶される指令を実行することに用いられ、該プロセッサが該メモリに記憶される指令を実行する場合、該実行によって該プロセッサは第1の態様又は第1の態様の任意可能な実現方式における方法を実行する。
【手続補正２】
【補正対象書類名】明細書
【補正対象項目名】００３５
【補正方法】変更
【補正の内容】
【００３５】
第8の態様ではメモリとプロセッサを備えるネットワーク装置を提供し、該メモリは指令を記憶することに用いられ、該プロセッサは該メモリに記憶される指令を実行することに用いられ、該プロセッサが該メモリに記憶される指令を実行する場合、該実行によって該プロセッサは第2の態様又は第2の態様の任意可能な実現方式における方法を実行する。
【手続補正３】
【補正対象書類名】明細書
【補正対象項目名】００３６
【補正方法】変更
【補正の内容】
【００３６】
第9の態様ではメモリとプロセッサを備えるネットワーク装置を提供し、該メモリは指令を記憶することに用いられ、該プロセッサは該メモリに記憶される指令を実行することに用いられ、該プロセッサが該メモリに記憶される指令を実行する場合、該実行によって該プロセッサは第3の態様又は第3の態様の任意可能な実現方式における方法を実行する。
【手続補正４】
【補正対象書類名】明細書
【補正対象項目名】００４２
【補正方法】変更
【補正の内容】
【００４２】
理解できるように、本願の実施例による技術的手段は、例えば、グローバル移動体通信（Global System of Mobile Communication、GSM）システム、符号分割多元接続(Code Division Multiple Access、CDMA)システム、広帯域符号分割多元接続(Wideband Code Division Multiple Access、WCDMA)システム、ロングタームエボリューション(Long Term Evolution、LTE)システム、LTE周波数分割複信（Frequency Division Duplex、FDD）システム、LTE時分割複信（Time Division Duplex、TDD）システム、汎用移動体通信システム（Universal Mobile Telecommunication System、UMTS）、及び将来の5G通信システム等の様々な通信システムに適用可能である。
【手続補正５】
【補正対象書類名】明細書
【補正対象項目名】００４４
【補正方法】変更
【補正の内容】
【００４４】
本願ではネットワーク装置を参照して各実施例を説明する。ネットワーク装置は端末装置と通信することに用いられる装置であってもよく、例えば、GSM又はCDMAシステムにおける基地局（Base Transceiver Station、BTS）であってもよく、WCDMAシステムにおける基地局（NodeB、NB）であってもよく、更にLTEシステムにおける進化型基地局（Evolutional Node B、eNB又はeNodeB）であってもよく、或いは、該ネットワーク装置は中継局、アクセスポイント、車載装置、ウェアラブルデバイス及び将来の5Gネットワークにおけるネットワーク側装置又は将来進化するPLMNネットワークにおけるネットワーク側装置等であってもよい。
【手続補正６】
【補正対象書類名】明細書
【補正対象項目名】００６４
【補正方法】変更
【補正の内容】
【００６４】
例えば、端末装置は4つのネットワーク装置の送信したRAR情報を受信し、それぞれはネットワーク装置A、B、C、とDであり、ここで、ネットワーク装置Bとネットワーク装置Dは端末装置に同じUL grantを設定し、この場合、該端末装置は該ネットワーク装置Bとネットワーク装置Dの送信したRAR情報におけるTA及び/又は負荷比率に基づいて、ネットワーク装置B又はネットワーク装置Dを確定することができ、例えば、ネットワーク装置BのTAはネットワーク装置DのTAよりも遥かに小さく、プリセットのルールに従って、端末装置はネットワーク装置Bを第3のネットワーク装置として確定し、この場合、端末装置はネットワーク装置A、B、とCにMsg3を送信する。ここで、該Msg3はネットワーク装置A、B、とCの識別子を含み、それによりネットワーク装置A、B、とCは協議してターゲットネットワーク装置を確定し、例えば、ネットワーク装置Cをターゲットネットワーク装置として確定する場合、ネットワーク装置Cは端末装置にMsg4を送信して、端末装置は該ネットワーク装置Cにアクセスする。
【手続補正７】
【補正対象書類名】明細書
【補正対象項目名】００７２
【補正方法】変更
【補正の内容】
【００７２】
図3は本願の実施例による端末装置がネットワークにアクセスするための方法300の模式的なフローチャートを示し、該方法300はネットワーク装置により実行されてもよく、具体的に、図3に示すように、該方法300は、
第2のネットワーク装置は端末装置が送信したランダムアクセスプリアンブルを受信するS310と、
該第2のネットワーク装置は該ランダムアクセスプリアンブルに基づいて、該端末装置に第2のランダムアクセス応答情報を送信するS320と、
該第2のネットワーク装置は該端末装置が送信したメッセージ3を受信し、該メッセージ3は少なくとも2つのネットワーク装置の識別子を含むS330と、
該第2のネットワーク装置は該少なくとも2つのネットワーク装置の識別子に基づいて、該少なくとも2つのネットワーク装置のうち、該第2のネットワーク装置以外の他のネットワーク装置と協議して、該端末装置にメッセージ4を送信するターゲットネットワーク装置を確定するS340と、を含む。
【手続補正８】
【補正対象書類名】明細書
【補正対象項目名】０１０８
【補正方法】変更
【補正の内容】
【０１０８】
理解できるように、本願の実施例による端末装置700は、本願の実施例における端末装置400に対応して、本願の実施例による方法100における対応主体の実行に対応することができ、そして端末装置700における各モジュールの上記と他の操作及び/又は機能は、それぞれ図1の各方法において端末装置の対応フローを実現するためのものであり、簡明のために、ここでは繰り返して説明しない。
【手続補正９】
【補正対象書類名】明細書
【補正対象項目名】０１１４
【補正方法】変更
【補正の内容】
【０１１４】
理解できるように、本願の実施例によるネットワーク装置800は、本願の実施例におけるネットワーク装置500に対応して、本願の実施例による方法200における対応主体の実行に対応することができ、そしてネットワーク装置800における各モジュールの上記と他の操作及び/又は機能は、それぞれ図2の各方法においてネットワーク装置の対応フローを実現するためのものであり、簡明のために、ここでは繰り返して説明しない。
【手続補正１０】
【補正対象書類名】明細書
【補正対象項目名】０１１７
【補正方法】変更
【補正の内容】
【０１１７】
理解できるように、本願の実施例によるネットワーク装置900は、本願の実施例におけるネットワーク装置600に対応して、本願の実施例による方法300における対応主体の実行に対応することができ、そしてネットワーク装置900における各モジュールの上記と他の操作及び/又は機能は、それぞれ図3の各方法においてネットワーク装置の対応フローを実現するためのものであり、簡明のために、ここでは繰り返して説
【手続補正１１】
【補正対象書類名】特許請求の範囲
【補正対象項目名】全文
【補正方法】変更
【補正の内容】
【特許請求の範囲】
【請求項１】
端末装置はランダムアクセスプリアンブルを送信することと、
前記端末装置は第1のネットワーク装置が送信した指示情報を受信することと、
前記端末装置は前記指示情報に基づいて、少なくとも1つのネットワーク装置が送信したランダムアクセス応答情報を受信し、前記少なくとも1つのネットワーク装置は前記第1のネットワーク装置を含むことと、を含むことを特徴とする端末装置がネットワークにアクセスするための方法。
【請求項２】
前記指示情報は、前記第1のネットワーク装置と第2のネットワーク装置が送信したランダムアクセス応答情報を受信するように前記端末装置に指示するためのものであり、前記少なくとも1つのネットワーク装置は前記第2のネットワーク装置を含み、
前記端末装置が前記指示情報に基づいて、少なくとも1つのネットワーク装置の送信したランダムアクセス応答情報を受信することは、
前記端末装置は前記第1のネットワーク装置と前記第2のネットワーク装置が送信したランダムアクセス応答情報を受信することを含むことを特徴とする請求項1に記載の方法。
【請求項３】
前記指示情報は前記少なくとも1つのネットワーク装置の識別子を含むことを特徴とする請求項1又は2に記載の方法。
【請求項４】
前記端末装置が前記指示情報に基づいて、少なくとも1つのネットワーク装置の送信したランダムアクセス応答情報を受信した後に、前記方法は更に、
前記端末装置は前記少なくとも1つのネットワーク装置において、ターゲットネットワーク装置を確定することと、
前記端末装置は前記ターゲットネットワーク装置にメッセージ3を送信することと、を含むことを特徴とする請求項1〜3のいずれか1項に記載の方法。 
【請求項５】
前記少なくとも1つのネットワーク装置における各ネットワーク装置のランダムアクセス応答情報は、タイミングアドバンス量及び/又は前記各ネットワーク装置の負荷比率を含み、前記タイミングアドバンス量は前記端末装置から前記各ネットワーク装置へのアップリンク無線信号の伝播遅延であり、
前記端末装置が前記少なくとも1つのネットワーク装置において、ターゲットネットワーク装置を確定することは、
前記端末装置は前記タイミングアドバンス量及び/又は前記負荷比率に基づいて、前記少なくとも1つのネットワーク装置において前記ターゲットネットワーク装置を確定することを含むことを特徴とする請求項4に記載の方法。
【請求項６】
前記指示情報はプリセットのルールを含み、
前記端末装置が前記タイミングアドバンス量及び/又は前記負荷比率に基づいて、前記少なくとも1つのネットワーク装置において前記ターゲットネットワーク装置を確定することは、
前記端末装置は前記プリセットのルールに従って、前記タイミングアドバンス量及び/又は前記負荷比率に基づいて、前記少なくとも1つのネットワーク装置において前記ターゲットネットワーク装置を確定することを含むことを特徴とする請求項5に記載の方法。
【請求項７】
前記プリセットのルールは、前記少なくとも1つのネットワーク装置のうち、タイミングアドバンス量が最も小さいものに対応するネットワーク装置を前記ターゲットネットワーク装置として確定することであり、又は
前記プリセットのルールは、前記少なくとも1つのネットワーク装置のうち、負荷比率が最も小さいネットワーク装置を前記ターゲットネットワーク装置として確定することであることを特徴とする請求項6に記載の方法。
【請求項８】
ランダムアクセスプリアンブルを送信することに用いられる送信ユニットと、
第1のネットワーク装置が送信した指示情報を受信することに用いられる受信ユニットと、を備え、
前記受信ユニットは更に、前記指示情報に基づいて、少なくとも1つのネットワーク装置が送信したランダムアクセス応答情報を受信することに用いられ、前記少なくとも1つのネットワーク装置は前記第1のネットワーク装置を含むことを特徴とする端末装置。
【請求項９】
前記指示情報は、前記第1のネットワーク装置と第2のネットワーク装置が送信したランダムアクセス応答情報を受信するように前記端末装置に指示するためのものであり、前記少なくとも1つのネットワーク装置は前記第2のネットワーク装置を含み、
前記受信ユニットは更に、
前記第1のネットワーク装置と前記第2のネットワーク装置が送信したランダムアクセス応答情報を受信することに用いられることを特徴とする請求項8に記載の端末装置。
【請求項１０】
前記指示情報は前記少なくとも1つのネットワーク装置の識別子を含むことを特徴とする請求項8又は9に記載の端末装置。
【請求項１１】
前記端末装置は更に、
前記受信ユニットが前記指示情報に基づいて少なくとも1つのネットワーク装置の送信したランダムアクセス応答情報を受信した後、前記少なくとも1つのネットワーク装置においてターゲットネットワーク装置を確定することに用いられる確定ユニットを備え、
前記送信ユニットは更に、
前記ターゲットネットワーク装置にメッセージ3を送信することに用いられることを特徴とする請求項8〜10のいずれか1項に記載の端末装置。
【請求項１２】
前記少なくとも1つのネットワーク装置における各ネットワーク装置のランダムアクセス応答情報は、タイミングアドバンス量及び/又は前記各ネットワーク装置の負荷比率を含み、前記タイミングアドバンス量は前記端末装置から前記各ネットワーク装置へのアップリンク無線信号の伝播遅延であり、
前記確定ユニットは更に、
前記タイミングアドバンス量及び/又は前記負荷比率に基づいて、前記少なくとも1つのネットワーク装置において前記ターゲットネットワーク装置を確定することに用いられることを特徴とする請求項11に記載の端末装置。
【請求項１３】
前記指示情報はプリセットのルールを含み、
前記確定ユニットは更に、
前記プリセットのルールに従って、前記タイミングアドバンス量及び/又は前記負荷比率に基づいて、前記少なくとも1つのネットワーク装置において前記ターゲットネットワーク装置を確定することに用いられることを特徴とする請求項12に記載の端末装置。
【請求項１４】
前記送信ユニットは更に、
前記少なくとも1つのネットワーク装置における一部又は全部のネットワーク装置にメッセージ3を送信することに用いられ、前記メッセージ3は前記一部又は全部のネットワーク装置の識別子を含み、
前記確定ユニットは更に、
メッセージ4を送信するネットワーク装置が前記ターゲットネットワーク装置であることを確定することに用いれることを特徴とする請求項11に記載の端末装置。
【請求項１５】
前記確定ユニットは更に、
プリセットのルールに従って、前記少なくとも1つのネットワーク装置において第3のネットワーク装置を確定することに用いられ、前記第3のネットワーク装置は、前記端末装置に同じアップリンクスケジューリングシグナリングUL grantを設定するネットワーク装置のうちの1つであり、
前記送信ユニットは更に、
前記第3のネットワーク装置及び他のネットワーク装置に前記メッセージ3を送信することに用いられ、前記他のネットワーク装置は、前記少なくとも1つのネットワーク装置のうち、前記端末装置に同じUL grantを設定するネットワーク装置以外のネットワーク装置であることを特徴とする請求項14に記載の端末装置。
明しない。
【国際調査報告】
2020515171.tif 000012
2020515171.tif 000013
2020515171.tif 000014
2020515171.tif 000015